(57)【特許請求の範囲】
【請求項１】
塔主体の本体部分と塔頂部の工作物部分とから構成された塔様建築物を建造するに際し、前者の本体部分を複数ユニットに形成すると共に内ひとつのユニットを基礎に固着させてから後に該ユニットへ順次高くなる位置で作動し踊場とクライミング手段を備えた踊場付クライミングクレーンを付設して該クライミングクレーンの作動と前記踊場に於ける作業で複数ユニットの夫々を順次積重ねながら本体部分の建造を実施し、次に後者の工作物部分を前記踊場のスライドテーブル上へ搭載してから前記本体部分を介し地上部から最上部までクライミング運動で持ち上げると共にスライドテーブルによる横移動で前記最上部の頂部へ導いてから本体部分に固定する工作物部分の建造を実施し、完成後において保守・点検および修理に用いる踊場およびクライミング手段を除去せずに温存し、係る各手順によって塔様建築物を建造する頂部に特定目的物を載置した塔様建築物の建造方法。
【請求項２】
前記工作物部分の特定目的物が、複数ユニットから形成されると共に各ユニット毎に次々と本体部分を介し地上部から最上部までクライミング運動で持ち上げ且つ該最上部で工作物部分の建造を順次に実施する請求項１記載の頂部に特定目的物を載置した塔様建築物の建造方法。
【請求項３】
前記工作物部分の特定目的物が、直方体形状のネオン広告物である請求項１又は２何れか記載の頂部に特定目的物を載置した塔様建築物の建造方法。
【請求項４】
前記工作物部分の特定目的物が、風力発電手段である請求項１又は２何れか記載の頂部に特定目的物を載置した塔様建築物の建造方法。
【請求項５】
前記本体部分が、截頭円錐筒形状である請求項１〜４何れか記載の頂部に特定目的物を載置した塔様建築物の建造方法。
【発明の詳細な説明】
【０００１】
【発明の属する技術分野】
本発明は、モニメントの塔・特殊形状の広告塔・特殊用途の塔・・・・・等、特定目的の工作物（以下、特定目的物と言う）を塔頂部に載置した塔様建築物の建造方法に関する提案です。
【０００２】
【従来の技術】
上記の特定目的物を塔頂部に載置した塔様建築物は、塔主体の本体部分と塔頂部の工作物部分とから構成されています。これの建造には、足場と特殊な大型トラッククレーンを用います。先ず、足場を組上げてから本体部分が建造され、その後に該本体部分の頂部で工作物部分が建造されながらその場に固定され、係る手順で塔様建築物の建造が実施されます。従って、この建造方法に於いては、トラッククレーンによる作業が主となります。
【０００３】
【発明が解決しようとする課題】
本発明は、従来の足場と特殊な大型トラッククレーンに依る作業手法を用いること無しに実施し、建造の簡略化および安全な作業並びに容易な保守・点検に寄与しようとする点にあります。
【０００４】
【課題を解決するための手段】
即ち、従来作業と比べても危険な高所作業が激減する作業手法であって、その特徴とするところは、塔主体の本体部分と塔頂部の工作物部分とから構成された塔様建築物を建造するに際し、前者の本体部分を複数ユニットに形成すると共に内ひとつのユニットを基礎に固着させてから後に該ユニットへ順次高くなる位置で作動し踊場とクライミング手段を備えた踊場付クライミングクレーンを付設して該クライミングクレーンの作動と前記踊場に於ける作業で複数ユニットの夫々を順次積重ねながら本体部分の建造を実施し、次に後者の工作物部分を前記踊場のスライドテーブル上へ搭載してから前記本体部分を介し地上部から最上部までクライミング運動で持ち上げると共にスライドテーブルによる横移動で前記最上部の頂部へ導いてから本体部分に固定する工作物部分の建造を実施し、完成後において保守・点検および修理に用いる踊場およびクライミング手段を除去せずに温存し、係る各手順によって塔様建築物を建造する点にあります。
【０００５】
【発明の実施の形態】
本発明には、作業手順にクレーンのクライミング原理が利用されており、これを基本原理として取入れた点に特徴があります。即ち、マストを組上げる際のユニット積重ね原理に基づく応用技術を取入れた作業手順によって塔主体の本体部分を建造し、更にクライミング運動する際のリフト原理に基づく応用技術を取入れた作業手順によって塔頂部の工作物部分を建造します。
また、完成後の保守・点検および修理の場面に於いても容易な保守・点検が可能となります。
【０００６】
係る応用技術を取入れた作業手順に基づいて、直方体形状のネオン広告物および風力発電手段・・・・等の特定目的物が塔頂部に載置された状態の塔様建築物を建造します。
また、塔主体の本体部分を截頭円錐筒形状に成し、経済的設計の本体部分に成して塔様建築物を建造します。
【０００７】
【実施例１】
モニメントの載置されたモニメント塔を建造する場合に就いて、図１および図２を用い具体的に説明します。
図１は、塔主体の本体部分を建造する際の作業手順図です。
図１のモニメント塔は、塔主体の本体部分と塔頂部のモニメント部分とから構成され、前者の本体部分１０が複数のユニット（具体的には第ｉ〜第ivの各ユニット）から形成されています。
図１のア〜エを用い作業手順に就いて説明します。
先ず、本体部分１０を建造するに際しては、▲１▼：第ｉのユニットを汎用のトラッククレーン（図示せず）で吊下げながら目的の場所まで運搬し且つ基礎１１上に垂持した状態を保持しながら該基礎１１へ第ｉのユニットを固着させます（図１のア）。次に、▲２▼：該第ｉのユニットへ順次高くなる位置で作動する構成の踊場付クライミングクレーン１２を付設します。即ち、同様の汎用トラッククレーン（図示せず）を用いて各部要素毎に順次組上げながら踊場付クライミングクレーン１２が第ｉのユニットへ付設されます（図１のイ）。▲３▼：図１のイに示す鎖線位置で組上げられた踊場付クライミングクレーン１２は、自身のクライミング運動により該鎖線位置から実線位置まで上昇します（図１のイ）。そして、▲４▼：該実線位置で第iiのユニットを吊下げながら第ｉのユニット上方位置まで運搬し且つ該第ｉのユニット上に垂持した状態を保持しながら両者のボルト接合作業を実施し、次に、図１のウに破線で示す第iiiのユニットに於いても第iiのユニット同様の手順によりボルト接合作業を実施します（図１のウ）。▲５▼：第ii〜第iiiの各ユニット同様の手順によるボルト接合作業を実施して第ivのユニットは第iiiのユニットとボルト接合され、これで本体部分１０の建造が完成します。その後、上記踊場付クライミングクレーン１２は、自身のクライミング運動により図１のエに示す実線位置（上方部位）から鎖線位置（下方部位）まで下降させた後に停止します（図１のエ）。
【０００８】
図２は、塔頂部のモニメント部分を建造する際の作業手順図です。
後者のモニメント部分２１も前者同様の複数ユニット（具体的には第vi〜第viiiのユニット）から形成されています。
図２のカ〜ケを用い作業手順に就いて説明します。
先ず、モニメント部分２１を建造するに際しては、▲６▼：本体部分１０の建造に用いた踊場付クライミングクレーン１２を前記の汎用トラッククレーン（図示せず）により解体します。即ち、各部要素毎に且つ前記の組上げ手順とは逆手順で順次分解しながら、踊場２２およびクライミング手段は残しクレーン主要部の全てを解体します（図２のカ）。次に、▲７▼：解体後に残した該踊場２２上へスライドテーブル２３を載置します。そして、該スライドテーブル２３上へ後者のモニメント部分２１（具体的には第vi〜第viiiの各ユニット）を前記の汎用トラッククレーン（図示せず）により一括して搭載します（図２のキ）。▲８▼：モニメント部分２１を搭載したスライドテーブル２３は、先に建造した前記の本体部分１０を介し且つ踊場２２自身のクライミング運動により地上部から最上部へ向けて上昇します。最上部へ到達してからは、スライドテーブル２３による横移動でモニメント部分２１を本体部分１０の頂部へ導きます。その後に、モニメント部分２１の第viのユニットと本体部分の第ivのユニットとを互いに固定する作業を実施し、モニメント部分２１の建造が完成します（図２のク）。▲９▼：係る各手順によって、モニメント部分２１は本体部分１０と一体と成り、これで塔様建築物が完成します。ここで、踊場２２は、自身のクライミング運動により最上部から地上部へ向けて下降し、図２のケに示す鎖線位置の地上部まで下降してから停止し全ての作業を終了します（図２のケ）。
【０００９】
なお、過負荷になる場合は、第vi〜第viiiの各ユニット毎に分解し、前記手順▲７▼〜手順▲９▼の反復によって建造作業を実施します。即ち、先ず第viのユニットを本体部分１０に於ける第ivのユニットに固定する作業を実施し、次に第viiのユニットを先に建造した第viのユニットに固定する作業を実施し、同様に固定する作業を次々と実施し、第vi〜第viiiの各ユニットを順次建造して塔様建築物が遂には完成します。
完成後に於ける踊場２２およびクライミング手段は、解体して除去しますが、その後の保守・点検および修理の場面に於いて使用可能と成す為にも除去せずに温存して置きます。
【００１０】
付言すると、前記クライミング運動は、例えば図３に示す如き、踊場２２に備えた把持具３５（図示せず）およびスタンド３１備えた把持具３６（図示せず）並びに踊場２２とスタンド３１の両者を連結する伸縮装置３３から形成されたクライミング手段によって実施されます。
即ち、上昇する場合のクライミング運動は、先ずスタンド３１に備えた把持具３６の閉塞によって本体部分１０との把持状態を保持させてから次に踊場２２に備えた把持具３５の開放を行い更に伸縮装置３３の長伸を行ってから後に踊場２２に備えた把持具３５を再び閉塞します。これで一工程が実施されて踊場２２を図３に於ける実線位置から破線位置まで上昇させます。係る工程の反復によって踊場２２は、本体部分１０に案内されながら上昇を続けます。
他方、下降する場合のクライミング運動は、先ずスタンド３１に備えた把持具３６の閉塞によって本体部分１０との把持状態を保持させてから次に踊場２２に備えた把持具３５の開放を行い更に伸縮装置３３の短縮を行ってから後に踊場２２に備えた把持具３５を再び閉塞します。これで一工程が実施されて踊場２２を図３に於ける破線位置から実線位置まで下降させます。係る工程の反復によって踊場２２は、本体部分１０に案内されながら下降を続けます。
なお、前記伸縮装置３３は、伸縮する機構を備えたもので有ればよく、例えば電動シリンダ・液体シリンダ・気体シリンダ・・・・等が構成要素として組込まれているものです。
【００１１】
【実施例２】
本体部分１０が截頭円錐筒形状である場合のクライミング運動に於いては、基本的には前記同様構造のクライミング手段を用います。即ち、異なる点は、截頭円錐筒形状に於けるテーパ部分を把持可能な把持具の構造に形成して有ることです。図示は省略をしますが、要するに、実施例１に於いては円筒形状の外形を把持する為に把持具の把持部分が円筒形状を形成する構造であるところ、実施例２に於いては円錐筒形状の外形を把持する為に該把持部分が円錐筒形状を形成する構造に構成されていることです。
【００１２】
【実施例３】
直方体形状のネオン広告物を建造する場合に就いて具体的に説明します。
先ず、塔主体の本体部分を建造する際の作業手順は、実施例１と同様に成して実施します。仮に、本体部分がトラス構造の直方体で有る場合は、市場のクライミングクレーン同様に、クライミング手段として爪によるトラス部材の引掛け構造の把持具を用います。
次に、塔頂部のネオン広告物部分を建造する際の作業手順は、これまた実施例１と同様に成して実施します。
【００１３】
【実施例４】
風力発電手段を建造する場合に就いて具体的に説明します。
先ず、塔主体の本体部分を建造する際の作業手順は、実施例１〜３と同様に成して実施します。
次に、風力発電手段物部分を建造する際の作業手順は、これまた実施例１〜３と同様に成して実施します。即ち、小型の場合は地上部にてナセルにブレード（プロペラ）を取付けてから最上部へ向け一括して上昇させます。大型の場合は各ユニット毎に分解してから後に次々と最上部へ向けて夫々を上昇させます。
【００１４】
【発明の効果】
本発明に従えば、足場の組立て作業が省略可能となります。更に、特殊な大型トラッククレーンが不要となります。そして、危険な高所作業の激減が可能となり、全ての面で作業が安全に且つ効率的になります。また、建造後にも除去せずに温存した踊場２２およびクライミング手段を用いる事で、容易な保守・点検が可能となります。
【図面の簡単な説明】
【図１】塔主体の本体部分を建造する際の作業手順図です。
【図２】塔頂部の工作物部分（モニメント部分）を建造する際の作業手順図です。
【図３】クライミング手段によるクライミング運動を示す図です。
【符号の説明】
１０・・・・本体部分
１１・・・・基礎
１２・・・・踊場付クライミングクレーン
２１・・・・工作物部分（モニメント部分）
２２・・・・踊場
２３・・・・スライドテ―ブル
３１・・・・スタンド
３３・・・・伸縮装置
３５、３６・・・・把持具
ｉ，ii，iii，iv・・・・第ｉのユニット〜第ivのユニット（本体部分１０）
vi，vii，viii・・・・第viのユニット〜第viiiのユニット（モニメント部分２１）
【図１】
0003886241.tif 000002
【図２】
0003886241.tif 000003
【図３】
0003886241.tif 000004